(57)【要約】    【課題】本発明は、ニースペースに収納可能な椅子付きのワゴンを備える洗面化粧台において、椅子に座った状態で使用する場合に、収納物の出し入れが容易な収納を有し、しかも、ニースペースを確保することによって、使い勝手のよい洗面化粧台を提供することを目的とする。    【解決手段】カウンターと、このカウンターに設けられた洗面ボールと、この洗面ボールの下方に設けられた前方に開口を有するスペースと、このスペースに収納可能な椅子付きのワゴンとを備えた洗面化粧台であって、前記洗面ボールと前記ワゴンとの間に引出しを備え、前記ワゴンがその上面に座面を備え、この座面と前記引出しの底板との間に脚が入る空間を有する洗面化粧台。    【選択図】  図２
2007307214.tif 000002
【特許請求の範囲】
【請求項１】
カウンターと、このカウンターに設けられた洗面ボールと、この洗面ボールの下方に設けられた前方に開口を有するスペースと、このスペースに収納可能な椅子付きのワゴンとを備えた洗面化粧台であって、前記洗面ボールと前記ワゴンとの間に引出しを備え、前記ワゴンがその上面に座面を備え、この座面と前記引出しの底板との間に脚が入る空間を有する洗面化粧台。
【請求項２】
請求項１において、引出しの底板の一部に底上げ部を有する洗面化粧台。
【請求項３】
請求項１、または、請求項２において、ワゴンの前板の上端と引出しの前板の下端の形状が対応する洗面化粧台。
【請求項４】
請求項１から請求項３の何れかにおいて、引出しが仕切り部材を有する洗面化粧台。
【請求項５】
請求項１から請求項４の何れかにおいて、引出し底板の幅方向の中央部が底上げ部を有する洗面化粧台。
【発明の詳細な説明】
【技術分野】
【０００１】
本発明は、ニースペースに収納可能な椅子付きのワゴンを備える洗面化粧台に関する。
【背景技術】
【０００２】
従来、ニースペースを備えたキャビネットとしては、図７に示すように、システムキッチンにおいて、シンク１下のキャビネット２が奥まった位置に設置され、このキャビネット２の扉を左右方向にスライド開閉する扉３とすることで、椅子に座っての作業で収納物を出し入れする際にも、キャビネット２の扉３に膝が当らないようにしたものが知られている（特許文献１）。また、図８に示すように洗面化粧台において、ニースペース４に出し入れ自在なワゴン９を設け、このワゴン９の上端部に収納７を設けたものが知られている（特許文献２）。さらに、椅子付のワゴンを備えたキャビネットとしては、図９に示すようにキャビネットのワゴン収納スペース１０の上方に、手前に引き出せる収納７を設けることにより、デッドスペースをなくし、また収納物の出し入れが容易としたものが知られている（特許文献３）。
【特許文献１】特開平１１−５６４９２号公報
【特許文献２】実開平２−７４９６８号公報
【特許文献３】特開２００２−１６５６５２号公報
【発明の開示】
【発明が解決しようとする課題】
【０００３】
しかしながら、特許文献１においては、ニースペース４の奥にキャビネットを設けたため、ニースペース４と収納を確保できるが、扉３がニースペース４の奥にあるため、収納物を出し入れする際には、ニースペース４の奥にまで手を伸ばす必要があり、もっと出し入れを容易にしたいという要望がある。また、特許文献２においては、ニースペース４に出し入れ自在なワゴン９の上端部に収納７を設けたため、収納物の出し入れは容易であるが、本来ニースペース４であった空間がワゴン９によって塞がれているため、ニースペースを確保できない。特許文献３においては、キャビネットのワゴン収納スペース１０の上方に、手前に引き出せる収納７を設けたため、収納７が確保でき、収納物の出し入れも容易であるが、椅子付のワゴン９に座った状態で使用する場合にニースペース４を確保できない。また収納物の出し入れを行うためには、椅子付のワゴン９をいちいち引き出す必要がある。
【０００４】
つまり、従来技術においては、椅子付きのワゴンを備える洗面化粧台において、椅子に座って使用する場合のニースペースを確保すると、収納物の出し入れが容易な収納を備えることができない問題があり、一方、収納物の出し入れを容易にすると、ニースペースが確保できない問題があった。
【０００５】
本発明は、上記問題に鑑みてなされたもので、ニースペースに収納可能な椅子付きのワゴンを備える洗面化粧台において、椅子に座った状態で使用する場合に、収納物の出し入れが容易な収納を有し、しかも、ニースペースを確保することによって、使い勝手のよい洗面化粧台を提供することを目的とする。
【課題を解決するための手段】
【０００６】
上記課題を解決するため、本発明は以下の構成を備えるものである。
（１）  カウンターと、このカウンターに設けられた洗面ボールと、この洗面ボールの下方に設けられた前方に開口を有するスペースと、このスペースに収納可能な椅子付きのワゴンとを備えた洗面化粧台であって、前記洗面ボールと前記ワゴンとの間に引出しを備え、前記ワゴンがその上面に座面を備え、この座面と前記引出しの底板との間に脚が入る空間を有する洗面化粧台。
（２）  （１）において、引出しの底板の一部に底上げ部を有する洗面化粧台。
（３）  （１）、または、（２）において、ワゴンの前板の上端と引出しの前板の下端の形状が対応する洗面化粧台。
（４）  （１）から（３）の何れかにおいて、引出しが仕切り部材を有する洗面化粧台。
（５）  （１）から（４）の何れかにおいて、引出し底板の幅方向の中央部が底上げ部を有する洗面化粧台。
【発明の効果】
【０００７】
本発明によれば、洗面ボールとワゴンとの間に引出しを備え、ワゴンがその上面に座面を備え、この座面と引出しの底板との間に脚が入る空間を有することにより、ワゴン自体を椅子として使用でき、また、この椅子付のワゴンに座って使用する場合に、ニースペースが確保されるため、膝を奥側へ深く入れることができ、使い勝手のよい洗面化粧台を提供することができる。さらに、ワゴンの収納スペースを確保しつつ、ワゴンを引出したり、手を奥まった位置まで伸ばすことなく、収納物を出し入れ可能な洗面化粧台を提供することができる。
【０００８】
本発明によれば、引出しの底板の一部が底上げされていることにより、椅子に座った状態で使用する場合に、引出しの底板の底上げされた部分に脚を入れることができて、膝を奥側へ深く入れることができるとともに、底上げした部分以外は引出しの深さを確保できるので引出しの容量を稼ぐことができる。
【０００９】
本発明によれば、ワゴンの前板の上端と引出しの前板の下端の形状が対応することにより、ワゴンをワゴンの収納空間に収納したり、引出しを出し入れする場合、ワゴンと引出しが干渉するのを防止でき、また、見た目の美しさを確保できる。
【００１０】
本発明によれば、引出しが仕切り部材を有することにより、引出しの中を区切ることができ、引出しの底板の一部が底上げされていても、収納物が引出しの深い位置に移動するのを防止することができる。
【００１１】
本発明によれば、引出し底板の幅方向の中央部が底上げされることにより、引出しの幅方向の中央部には、脚を入れるスペースを確保することができ、引出しの左右には、ドライヤー等の厚みのある収納物も収納することができるため、使い勝手を向上させることができる。
【発明を実施するための最良の形態】
【００１２】
本発明の洗面化粧台は、例えば図１、図２に示すように、カウンター５と、このカウンター５に設けられた洗面ボール８と、この洗面ボールの前面部６と、この洗面ボール８の前面部６の下方に設けられた引出し１１と、この引出し１１の下方に設けられた前方に開口を有するスペース（以下、ワゴン収納スペース１２」と言う。）と、このスペースに収納可能な椅子付きのワゴン９とを備える。
【００１３】
引出し１１の下方に設けられたワゴン収納スペース１２は、ワゴンの前板１３を除く全体が収納可能であって、このワゴン９を引出した後は、ニースペースとなるようにする。つまり、図３に示すように、椅子付のワゴン９の座面１４と洗面ボール（図示しない。）の下方に設けられた引出し１１の底板１６との間に、椅子付のワゴン９に座った使用者の脚が入るスペース２５を確保する。これにより、椅子付のワゴン９に座って洗面化粧台を使用する場合にも、使用者は膝を深く入れることができるとともに、引出し１１の収納物の出し入れが容易であり、たいへん使い勝手がよい。なお、脚を入れるスペース２５とは、椅子付きのワゴン９の座面１４と引出し１１の底板１６との間の空間をいい、カウンター５の高さや引出し１１の深さにもよるが、例えば、１５０ｍｍ〜３００ｍｍ、好ましくは、１８０ｍｍ〜２５０ｍｍの範囲とする。これにより、脚を入れるクペース１２を確保しつつ、引出し１１の容量を確保することができる。
【００１４】
図１、図３に示すように、ワゴン９は、上面に座面１４を備えることで椅子付のワゴン９とする。また、座面１４の下の空間は収納空間とし、座面１４がこの収納の蓋を兼ねるようにするのが望ましい。これにより、ワゴン９が収納と椅子の機能を兼ねることができる。また、上述したように、ワゴン収納スペース１２はワゴン９の前板１３を除く全体を収納することができるため、ワゴン９を椅子として使用していない場合には、これを置くためのスペースを設ける必要がなく、省スペース化が図られる。
【００１５】
図１、図３に示すように、引出し１１は、洗面ボール８とワゴン収納スペース１２との間に設ける。そして、引出し１１の前板１７が、上下関係において、洗面ボール８の前面６と、ワゴン９の前板１３との間に来るようにする。これにより、引出し１１を開閉する際に、使用者１５が屈みこむ必要がない。また、ワゴン９を引き出さなくても、引出し１１を開閉できるため、収納物の出し入れが容易となる。
【００１６】
図２、図５に示すように、引出し１１の底板１６は、その一部に底上げ部１９を設け、引出し１１の前板１７も、引出し１１の底板１６の底上げ部１９に合わせた形状とするのが望ましい。これにより、図６に示すように、椅子付きのワゴンに座った状態で使用する場合に、引出し１１の底板１６に設けた底上げ部１９に脚１８を入れることができて、膝を奥側へ深く入れることができるとともに、底上げ部１９以外は引出し１１の深さを確保できるので引出し１１の容量を稼ぐことができる。
【００１７】
図２、図５に示すように、引出し１１は、幅方向の中央部に底上げ部１９を有し、その左右に深い収納部２０を有することが望ましい。これにより、引出し１１の幅方向の中央部には、脚を入れるスペースを確保することができ、引出し１１の左右の両端には、ドライヤー等の厚みのある収納物も収納することができ、使い勝手を向上させることができる。また、図５に示すように、引出し１１の幅方向の中央部の底上げ部１９の奥行き２１を、その左右の深い収納部２０よりも、浅くするのが望ましい。これにより、洗面ボール８の排水配管や給水配管との干渉を避けることができる。
【００１８】
図２、図５に示すように、ワゴン９の前板１３の上端と引出し１１の前板１７の下端の形状は、対応しているのが望ましい。これにより、ワゴン９をワゴン収納スペース１２に収納したり、引出し１１を出し入れする場合、ワゴン９と引出し１１が干渉するのを防止でき、また、見た目の美しさを確保できる。
【００１９】
引出しは、図５に示すように、仕切り部材２２を有するのが望ましい。これにより、引出し１１の中を区切ることができ、引出し１１の底板１６の一部が底上げされていても、収納物が引出し１１の深い収納部２０に移動して、引出し１１の中が乱雑になるのを防止することができる。
【実施例１】
【００２０】
本発明に係る洗面化粧台の実施例１を、図１に示す。
【００２１】
図１は、本発明の実施例１の洗面化粧台の斜視図を示す。図３は、本発明の実施例１の洗面化粧台を、使用者１５が椅子付きワゴン９に座って使用している状態のＡ−Ａ断面図を示す。
【００２２】
図１において、本実施例の洗面化粧台は、洗面ボール８を備える間口寸法１２００ｍｍ、奥行寸法６００ｍｍのカウンター５と、左右の側板、前面右側の２段式の引出し、及び上記カウンター５の洗面ボール８の下側部分にニースペースとなるワゴン収納スペース１２が形成され、このワゴン収納スペース１２の上方前面のカウンター５の前面部６、このカウンター５の前面部６の下の引出し１１、ワゴン収納スペース１２に収納される移動式の椅子付きのワゴン９を備える。
【００２３】
図１、図３に示すように、引出し１１は、その前板１７がカウンター５の前面部６とワゴン９の前板１３との間に来るように設けた。これにより、椅子付きワゴン９に座った使用者１５が、引出し１１を開閉する際に、使用者１５が屈みこむ必要がなかった。また、ワゴン９を引き出さなくても、引出し１１を開閉できるため、収納物の出し入れが容易となる。
【実施例２】
【００２４】
本発明に係る洗面化粧台の実施例２を、図２、図４〜図６に示す。
【００２５】
図２は、本発明の実施例２の洗面化粧台の斜視図を示す。図４は、本発明の実施例２の洗面化粧台を、使用者１５が椅子付きワゴン９に座って使用している状態のＡ−Ａ断面図を示す。図５は、本発明の実施例２に用いる引出し１１と椅子付きのワゴン９の斜視図を示す。図６は、本発明の実施例２の引出し１１の下に椅子付きワゴン９に座った使用者の脚１８が入る様子を示す斜視図である。
【００２６】
図２において、本実施例の洗面化粧台は、洗面ボール８を備える間口寸法１２００ｍｍ、奥行寸法６００ｍｍのカウンター５と、左右の側板、前面右側の２段式の引出し、及び上記カウンター５の洗面ボール８下側部分にニースペースとなるワゴン収納スペース１２が形成され、このワゴン収納スペース１２の上方前面のカウンター５の前面部６、このカウンター５の前面部６の下の引出し１１、ワゴン収納スペース１２に収納される移動式の椅子付きのワゴン９を備える。
【００２７】
図５に示すように、引出し１１は、幅方向の中央部に底上げ部１９を有し、その左右に深い収納部２０を有するようにするとともに、引出し１１の前板１７がこの底板１６の形状に対応するようにした。そして、図４および図６に示すように、引出し１１の中央部の底上げ部１９の底板１６と、椅子付きワゴン９の座面１４との空間に、座面１４に座った使用者１５の脚１８が入るようにした。これにより、椅子付きワゴン９に座った状態で、使用者１５の脚１８が入るスペース２５を確保するとともに、引出し１１の左右の両端の深い収納部２０にはドライヤー等の厚みのある収納物を収納した。
【００２８】
また、図５に示すように、引出し１１の底板１６の奥側から、幅約４５０ｍｍ、奥行約２００ｍｍ程度の切り欠き２３を設けた上で、この切り欠き２３に対応するように背板２４を設けた。つまり、引出し１１の背板２４側から見て、引出し１１の幅方向の中央部が凹部２３を有するようにした。そして、この凹部２３に、洗面ボール８の排水配管や給水配管を通すことにより、これらの配管との干渉を避けるようにした。
【００２９】
図２、図５に示すように、ワゴン９の前板１３の上端と引出し１１の前板１７の下端の形状が対応するようにした。これにより、ワゴン９をワゴン収納スペース１２に収納したり、引出し１１を出し入れする場合、ワゴン９と引出し１１が干渉するのを防止し、また、見た目の美しさを確保した。
【００３０】
図５に示すように、引出し１１に仕切り部材２２を設けた。これにより、引出し１１の中を区切ることができ、引出し１１の底板１６の一部に底上げ部１９を有していても、収納物が引出し１１の深い収納部２０に移動するのを防止した。
【図面の簡単な説明】
【００３１】
【図１】本発明の実施例１の洗面化粧台の斜視図である。
【図２】本発明の実施例２の洗面化粧台の斜視図である。
【図３】本発明の実施例１の洗面化粧台のＡ−Ａ断面図である。
【図４】本発明の実施例２の洗面化粧台のＡ−Ａ断面図である。
【図５】本発明の実施例２に用いる引出しと椅子付きのワゴンの斜視図である。
【図６】本発明の実施例２の引出しの下に椅子付きワゴンに座った使用者の脚が入る様子を示す斜視図である。
【図７】従来のニースペース付きキャビネットの斜視図である。
【図８】従来の洗面化粧台の斜視図である。
【図９】従来の洗面化粧台の斜視図である。
【符号の説明】
【００３２】
１  シンク
２  キュビネット
３  扉
４  ニースペース
５  カウンター
６  カウンターの前面部
７  収納
８  洗面ボール
９  ワゴン
１０  ワゴン収納スペース
１１  引出し
１２  前方に開放する空間（ワゴン収納スペース）
１３  ワゴンの前板
１４  座面
１５  使用者
１６  底板
１７  前板
１８  脚
１９  底上げ部
２０  深い収納部
２１  底上げ部の奥行き
２２  仕切り部材
２３  切り欠き（凹部）
２４  背板
２５  脚が入るスペース
【図１】
2007307214.tif 000003
【図２】
2007307214.tif 000004
【図３】
2007307214.tif 000005
【図４】
2007307214.tif 000006
【図５】
2007307214.tif 000007
【図６】
2007307214.tif 000008
【図７】
2007307214.tif 000009
【図８】
2007307214.tif 000010
【図９】
2007307214.tif 000011